(57)【特許請求の範囲】
【請求項１】
燃料を気化して燃料ガス化する気化部を有し、該気化部は気化室を備え、空気供給筒を介して気化室内に空気を導入し、気化室内において燃料を気化して空気と混合し、該燃料と空気との混合ガスを燃焼部に供給して燃焼させる燃焼装置において、炎孔を平面的に分布させる炎孔プレートを有し、炎孔プレートに空気供給筒が一体的に成形されていることを特徴とする燃焼装置。
【請求項２】
炎孔プレートに気化室の一部又は全部が一体的に成形されていることを特徴とする請求項１に記載の燃焼装置。
【請求項３】
燃料を気化して燃料ガス化する気化部を有し、該気化部は気化室を備え、気化室内において燃料を気化して空気と混合し、該燃料と空気との混合ガスを燃焼部に供給して燃焼させる燃焼装置において、炎孔を平面的に分布させる炎孔プレートと、炎孔プレートの一方の面側に配されて燃料ガスを炎孔に導く燃料ガス流路の一部を構成する仕切り板を有し、炎孔プレートに気化室の一部又は全部が一体的に成形され、気化室の一部が仕切り板と接していることを特徴とする燃焼装置。
【請求項４】
周壁で取り囲まれ、表面側に炎孔を平面的に分布させる炎孔プレートを有し、前記周壁の炎孔プレート裏面側に仕切り板が取り付けられ、空気又は燃料が通過する空隙が形成され、周壁の炎孔プレート裏面側には一以上の段部が設けられ、当該段部に仕切り板が取り付けられていて空気又は燃料が通過する空隙が形成され、炎孔プレート裏面側の他の段部または炎孔プレートの端面にも仕切り板が取り付けられていて空気又は燃料が通過するもう一つの空隙が形成されていることを特徴とする燃焼装置。
【請求項５】
炎孔に近い部位に設けられた仕切り板は、炎孔から遠い位置に設けられた仕切り板に比べて熱伝導率が高いことを特徴とする請求項４に記載の燃焼装置。
【発明の詳細な説明】
【０００１】
【発明の属する技術分野】
本発明は、液体等の気体以外の燃料を使用する燃焼装置に関するものである。本発明の燃焼装置は、暖房機器や給湯器に採用する燃焼装置として特に好適である。
【０００２】
【従来の技術】
都市ガスが普及していない地域で使用される給湯器や暖房機等には、灯油等の液体燃料を使用した燃焼装置が採用される場合が多い。またこの中でも、比較的発熱量が小さい用途に使用される場合は、気化部によって液体燃料を気化し、この気化ガスを燃焼部に送って燃焼させる形式のものが多用されている（特公平７−２１３３２号）。
【０００３】
図１９は、従来技術の燃焼装置で採用する気化部の例を示す断面図である。この種の燃焼装置では、気化部１００は燃焼部１０１の下部に設けられる。また従来技術の燃焼装置１００においては、気化部１００は燃焼部１０１に対して独立している。即ち気化部１００を構成する部品は、いずれも燃焼部１０１を構成する部品とは別個であり、両者が共有する部品はない。
そして気化部１００は、凹穴状の気化室１０２を備えている。また気化室１０２の上部の位置には、電気ヒータ１０３が内蔵されており、気化室１０２の内壁は昇温可能である。
そして当該気化室１０２の中にロータリーカップ１０５が内蔵されている。ロータリーカップ１０５は、図示しないモータによって高速で回転されるものである。またロータリーカップ１０５は、底部の中央に開口１０９を持ち、開口１０９の近傍には、一次空気供給筒１０８が設けられている。さらにカップ１０５の上部には振り切り板１０６が設けられている。
【０００４】
そして図示しないモータによってロータリーカップ１０５を回転させ、さらに一次空気供給筒１０８から気化部１００のロータリーカップ１０５内に空気を吹き込む。そして燃料パイプ１０７からロータリーカップ１０５の中に灯油を滴下し、遠心力によって灯油を気化室１０２の内壁に向かって飛散させる。
その結果、灯油は、気化室１０２の内壁から熱を受けて気化し、さらに気化した燃料は、一次空気供給筒１０８から気化室１０２内に吹き込まれた空気と混合される。そしてこの混合ガスは下部の開口１１０から排出され、燃焼部１０１に送られて燃焼に供される。
【０００５】
【発明が解決しようとする課題】
上記した様に、この種の給湯器等では、液体燃料に熱エネルギーを与えて気化させる。ところが従来技術の燃焼装置では、気化部内で燃料に充分な熱エネルギーを与えることが困難であり、気化部から排出された燃料ガスの温度が低い場合が多い。そのため気化部から燃焼部に至るまでの間に、せっかく気化した燃料が元の液体に戻ってしまうことがあった。そのためこの種の給湯器等は、燃焼不良を起こす場合があった。
【０００６】
また従来技術の燃焼装置では、気化部を構成する部品が燃焼部を構成する部品と全く別個であり、部品点数が多いという不満があった。そのため各部品の製造、保管や組み立てに手間を要するという問題があった。
【０００７】
そこで本発明は従来技術の上記した問題点に注目し、燃焼ガスの再液化を防止し安定した燃焼を確保することができると共に、部品点数が少なく、製造が容易な燃焼装置の開発を課題とするものである。
【０００８】
【課題を解決するための手段】
そして上記した課題を解決するための請求項１に記載の発明は、燃料を気化して燃料ガス化する気化部を有し、該気化部は気化室を備え、空気供給筒を介して気化室内に空気を導入し、気化室内において燃料を気化して空気と混合し、該燃料と空気との混合ガスを燃焼部に供給して燃焼させる燃焼装置において、炎孔を平面的に分布させる炎孔プレートを有し、炎孔プレートに空気供給筒が一体的に成形されていることを特徴とする燃焼装置である。
【０００９】
本発明の燃焼装置では、炎孔を平面的に分布させる炎孔プレートを有し、炎孔プレートに空気供給筒が一体的に成形されている。ここで炎孔プレートは、炎孔を分布させる部材であり、火炎に最も近い位置にあるから、燃焼時には相当の高温となる。空気供給筒が炎孔プレートに対して一体的に成形されているから、燃焼時には、炎孔プレートの熱が空気供給筒に伝熱される。そのため気化室に供給される空気の温度が上昇し、液体燃料の気化が促進される。また本発明の燃焼装置では、空気供給筒が炎孔プレートと一体化されているので、部品点数が少なく、組み立ても容易である。
【００１０】
また同様の課題を解決するための請求項２に記載の発明は、炎孔プレートに気化室の一部又は全部が一体的に成形されていることを特徴とする請求項１に記載の燃焼装置である。
【００１１】
本発明の燃焼装置は、前記した様に、炎孔プレートは相当の高温となる。気化室の一部又は全部が炎孔プレートに対して一体的に成形されているので、燃焼時には、炎孔プレートの熱が気化室に伝熱される。そのため気化室の温度が上昇し、液体燃料の気化が促進される。また本発明の燃焼装置では、気化室の一部が炎孔プレートと一体化されているので、部品点数が少なく、組み立ても容易である。
【００１２】
さらに同様の課題を解決するための請求項３に記載の発明は、燃料を気化して燃料ガス化する気化部を有し、該気化部は気化室を備え、気化室内において燃料を気化して空気と混合し、該燃料と空気との混合ガスを燃焼部に供給して燃焼させる燃焼装置において、炎孔を平面的に分布させる炎孔プレートと、炎孔プレートの一方の面側に配されて燃料ガスを炎孔に導く燃料ガス流路の一部を構成する仕切り板を有し、炎孔プレートに気化室の一部又は全部が一体的に成形され、気化室の一部が仕切り板と接していることを特徴とする燃焼装置である。
例えば気化室の開口を炎孔プレート側に開き、開口端の一部又は全部が仕切り板と接する構成とすることが推奨される。
【００１３】
本発明の燃焼装置は、請求項２に記載の発明と同様に、気化室の一部又は全部が炎孔プレートに一体的に成形されているから、燃焼時には、炎孔プレートの熱が気化室に伝熱され、液体燃料の気化が促進される。本発明の燃焼装置では、気化室の一部が炎孔プレートと一体化されているので、部品点数が少なく、組み立ても容易である。
また本発明の燃焼装置は、炎孔プレートの一方の面側に配されて燃料ガスを炎孔に導く燃料ガス流路の一部を構成する仕切り板を有し、気化室の一部が仕切り板と接している。そのため前記した仕切り板に気化室側の熱が流れ、仕切り板が昇温される。ここで仕切り板は、燃料ガスを炎孔に導く燃料ガス流路の一部を構成するものであるから、仕切り板が昇温することにより燃料ガス流路が保温される。そのため燃料ガスの再液化が防止される。
【００１４】
また同様の課題を解決するための請求項４に記載の発明は、周壁で取り囲まれ、表面側に炎孔を平面的に分布させる炎孔プレートを有し、前記周壁の炎孔プレート裏面側に仕切り板が取り付けられ、空気又は燃料が通過する空隙が形成され、周壁の炎孔プレート裏面側には一以上の段部が設けられ、当該段部に仕切り板が取り付けられていて空気又は燃料が通過する空隙が形成され、炎孔プレート裏面側の他の段部または炎孔プレートの端面にも仕切り板が取り付けられていて空気又は燃料が通過するもう一つの空隙が形成されていることを特徴とする燃焼装置である。
【００１５】
本発明の燃焼装置は、周壁で取り囲まれ、表面側に炎孔を平面的に分布させる炎孔プレートを持つ。そして周壁の炎孔プレート裏面側に仕切り板が取り付けられている。そのため炎孔プレートの裏面側は、炎孔が分布する部位と、周壁と仕切り板によって囲まれる空隙が形成される。そして本発明の燃焼装置では、この空隙を空気又は燃料の通過部として機能させる。さらに、周壁の炎孔プレート裏面側には一以上の段部が設けられ、当該段部に仕切り板が設けられている。また他の段部または炎孔プレートの端面にも仕切り板が取り付けらている。そしてこれらの仕切り板によって二以上の空隙が形成され、これらの空隙を空気又は燃料の通過部として機能させる。そのため本発明の燃焼装置は、構造が簡単であり、組み立てが容易である。
【００１６】
また請求項５に記載の燃焼装置は、炎孔に近い部位に設けられた仕切り板は、炎孔から遠い位置に設けられた仕切り板に比べて熱伝導率が高いことを特徴とする請求項４に記載の燃焼装置である。
【００１７】
本発明の燃焼装置では、前記した請求項４に記載の燃焼装置をさらに改良したものであり、二以上の仕切り板によって二以上の空隙が形成される。そしてこの空隙は、いずれも空気又は燃料の通過部として機能する。そのため空隙内はいずれも温度が高いことが望ましいが、炎孔に近い部位には気化した燃料ガスが通過する流路が隣接する場合が多いので、炎孔に近い部位の保温を最優先するべきである。
本発明は、この観点から構成されたものであり、炎孔に近い部位に設けられた仕切り板に、炎孔から遠い位置に設けられた仕切り板に比べて熱伝導率が高いものが選定されている。即ち炎孔に近い部位は、高温の燃焼部から熱を受けやすいので、熱伝導率の高い素材によって仕切り板が作られ、燃焼部の熱を導いて空隙内を昇温させる。
これに対して炎孔から遠い位置に設けられた仕切り板は、燃焼部から得られる熱量が少なく、仕切り板に熱伝導率の高い素材を使用しても空隙部を昇温する効果は期待しがたい。また逆に、当該部位の仕切り板に熱伝導率の高い素材を使用すると、空気流に晒されることによって冷熱を受け、この冷熱を空隙内や燃料ガスの通過部位に伝えてしまうという弊害が懸念される。
そのため本発明の燃焼装置は、炎孔に近い部位に設けられた仕切り板に熱伝導率が高いものを選定し、炎孔から遠い位置に設けられた仕切り板に熱伝導率の低いものを選定して、燃料ガスの再液化を防止している。
【００１８】
【発明の実施の形態】
以下さらに本発明の実施形態について説明する。
図１は、本発明の実施形態の燃焼装置の断面図である。図２は、本発明の実施形態の燃焼装置の分解斜視図である。図３は、図１の燃焼装置の燃焼部近傍の斜視図である。図４は、図１の燃焼装置で採用する空気量調節部の移動側板状部材の正面図である。図５は、図１の燃焼装置で採用する空気量調節部の固定側板状部材の正面図である。図６は、図１の燃焼装置で採用する空気量調節部の正面図であり、開口を開いた状態を示す。図７は、図１の燃焼装置で採用する空気量調節部の正面図であり、開口を閉じた状態を示す。図８は、図１の燃焼装置で採用する分流仕切り板の正面図である。図９（ａ）は、図１の燃焼装置で採用する炎孔プレートと、炎孔部材と分流仕切り板を組み合わせた状態の正面図であり、（ｂ）は、その部分拡大図である。図１０は、図９（ａ）のＡ−Ａ断面図である。図１１は、図１の燃焼装置で採用する炎孔プレートの裏面中央部分の拡大図である。図１２は、図１の燃焼装置の炎孔近傍の斜視図である。図１３は、図３のＡ−Ａ断面図である。図１４は、図３のＢ−Ｂ断面図である。図１５は、本発明の実施形態の燃焼装置の気化部周辺の断面斜視図である。図１６は、本発明の実施形態の燃焼装置の気化部の気化室内部を示す断面図である。図１７は、図１６の縦断面図である。
【００１９】
図１において、１は、本発明の実施形態の燃焼装置を示す。本実施形態の燃焼装置１は、給湯器に内蔵されるものであり、送風機２、駆動機械部３、空気量調節部５、混合部６及び燃焼部７が順次積み重ねられて作られたものである。また混合部６及び燃焼部７の近傍に気化部８が設けられている。そして本実施形態に特有の構成として、前記した混合部６、燃焼部７及び気化部８が、いずれも炎孔プレート３６に形成されている。
【００２０】
順次説明すると、送風機２は、鋼板を曲げ加工して作られた凹状のハウジング１０の中にファン１１が回転可能に配されたものである。ハウジング１０の中央部には、開口１２が設けられている。
【００２１】
駆動機械部３は、箱体１３を有し、その底板１５の中央にモータ１６が取り付けられている。モータ１６は、両端部から回転軸１７，１８が突出しており、回転軸１７，１８は、燃焼装置１の略全長を貫通している。そして後記する様に、モータ１６の後端側の回転軸１７は、ファン１１に接続され、前方側の回転軸１８は、気化部８のロータリーカップ（回転部材）６３に接続されている。
また駆動機械部３の内部には、ステッピングモータ２０が設けられている。
【００２２】
空気量調節部５は、図２の様に移動側板状部材２２と固定側板状部材２３によって構成されている。移動側板状部材２２は、図２、図４の様に円板状をしており、中央に軸挿通孔２５が設けられている。そしてその周囲に空気孔となる開口２６，２７，２８が設けられている。空気孔となる開口は、概ね内外二重のエリアに分かれて設けられている。中心側のエリア（図４の一点鎖線Ａの範囲）に設けられた開口２６は、略三角形であり、６個、等間隔に設けられている。
【００２３】
一方、外側を取り巻くエリアに設けられた開口は、二種類の形状のものがある。即ち、外側を取り巻く開口は、６個であり、そのうちの３個の開口２７は、略長方形の溝状である。これに対して、残る３個の開口２８は、長方形と長円とが結合した形をしている。開口２７，２８は、互い違いの位置に配置され、いずれも等角に設けられている。
上記した様に、移動側板状部材２２には、３種類の開口２６，２７，２８が設けられているが、これらの周方向の辺は、いずれも移動側板状部材２２の中心と同一中心の円弧である。
移動側板状部材２２の外周部の一部には、歯車形状３０が形成されている。歯車形状３０のピッチ円中心は、移動側板状部材２２の中心（軸挿通孔２５）と一致する。歯車形状３０は、移動側板状部材２２の中心に対して概ね３０°（度）の範囲で設けられている。
【００２４】
一方、空気量調節部５の固定側板状部材２３は、長方形の板体であり、周囲には図示しないフランジ部が設けられている。固定側板状部材２３の面積は、前記した移動側板状部材２２よりも大きく、両者を重ねたとき、移動側板状部材２２は固定側板状部材２３にすっぽりと覆われる。逆にいえば、固定側板状部材２３の端部は移動側板状部材２２からはみ出す。
【００２５】
板状の部位の中心部分には、前記した移動側板状部材２２と略同一形状の開口が設けられている。即ち空気量調節部５の固定側板状部材２３には、中央に軸挿通孔２５'が設けられている。そしてその周囲に空気孔となる開口が二重のエリアに分かれて設けられている。中心側のエリアに設けられた開口２６'は、略三角形であり、６個、等間隔に設けられている。また外側のエリアにも開口２７'が設けられているが、外側の開口はいずれも略長方形の溝状のものである。
また固定側板状部材２３の他の部位には、多数の小孔３１が設けられている。小孔３１が設けられた位置は、固定側板状部材２３の上に移動側板状部材２２を重ねた時に、両者が重複しない部位である。即ち小孔３１は、固定側板状部材２３のはみ出し部分に設けられている。なお固定側板状部材２３は、後記する図１８の燃焼装置７１では、仕切り板としての機能を果たす。
【００２６】
空気量調節部５は、図６，７に示すように、固定側板状部材２３の上に移動側板状部材２２が重ねられている。また両者の中心部には、下部にウェーブワッシャ３３が設けられており、固定側板状部材２３を移動側板状部材２２側に押圧している。ウェーブワッシャ３３は、波うった形状の座金であり、相当の反発力を有するものであり、固定側板状部材２３を移動側板状部材２２に押しつけ、両者の密着性を向上させる働きをする。なおウェーブワッシャ３３に代わってコイルバネや皿バネ等のバネ、あるいはゴム等の弾性体を使用しても同様の作用効果が期待できる。
移動側板状部材２２は、固定側板状部材２３の上で中央に軸挿通孔２５を中心として相対的に回転可能である。移動側板状部材２２の回転により、後記する様に移動側板状部材２２と固定側板状部材２３を連通する開口の面積が変化する。
【００２７】
混合部６、燃焼部７及び気化部８は、分流仕切り板３５と炎孔プレート３６を中心として構成されている。
分流仕切り板３５は、図８に示すように、長方形をした板状の部材である。本実施形態の燃焼装置１では、分流仕切り板３５は、熱伝導率が１００Ｗ／ｍ℃（ワット／メートル・摂氏温度）以上の熱伝導率の良好な素材が選択されている。具体的には、本実施形態では、分流仕切り板３５に銅が使用されている。
分流仕切り板３５の中央には大きな開口３７が設けられている。また周部には、中程度の開口３８が取り巻いている。そしてその中間部には、小さな開口４０が多数設けられている。
小さな開口４０は、図の様に列となって長手方向に連なって設けられている。
【００２８】
炎孔プレート３６は、アルミダイカストによって作られたものであり、図９の様に長方形をしている。そして炎孔プレート３６には、複雑な枠組と開口及び溝が設けられている。
即ち炎孔プレート３６は、外周を囲む外側燃焼壁４１を持ち、この外側燃焼壁４１の内側にやや背の高い内側燃焼壁４３が設けられている。内側燃焼壁４３の内部は、実際に火炎が発生する部分であり、燃焼部７として機能する。
炎孔プレート３６の内部には、燃焼壁４１，４３に対して垂直方向（設置方向は水平）に水平壁４４が設けられている。
また外側燃焼壁４１の内側であって、水平壁４４の下部には図１０の様に段部６１が設けられている。
【００２９】
前記した様に、炎孔プレート３６は、外側燃焼壁４１と内側燃焼壁４３が設けられているので、これらの間は、環状の溝が形成されている。そしてこの環状の溝４５のそれぞれの辺には、各２本ずつ、長細い開口４６が設けられている。
【００３０】
さらに内側燃焼壁４３内には、多数の溝４８は、図３，１０，１１の様に、垂直壁５０によって仕切られて設けられている。
そして溝４８を構成する垂直壁５０は、図３、１１の様に二組ずつがループを構成していて、島状の部位を形成している。そしてループを構成していない組み合わせの垂直壁同士の間に、図３の様に炎孔部材５１が装着されている。炎孔部材５１には、炎孔となる開口５４が設けられている。
【００３１】
炎孔プレート３６の中央部には、円形の筒体８２が一体的に設けられている。筒体８２は、気化室６０の主要部を構成するものである。
筒体８２は、図３、図１５〜図１７に示すように、炎孔プレート３６を裏表方向に貫通している。即ち筒体８２は水平壁４４の表面側に突出するだけでなく、裏面側にも突出している。また筒体８２の裏面側の端部には、図３、図１１の様に複数の切欠部６２が設けられている。
そして筒体８２の内部には、４本のリブ６６が設けられ、中央に一次空気導入筒８８が支持されている。本実施形態の燃焼装置１では、この空気導入筒８８及びリブ６６についても、炎孔プレート３６と一体的に成形されたものである。
【００３２】
炎孔プレート３６の裏面には、図２，３，１０の様に分流仕切り板３５が装着されている。分流仕切り板３５の周端部は、図１０の様に、段部６１と接している。分流仕切り板３５が接する段部６１は、外周を囲む外側燃焼壁４１に設けられたものであるから、分流仕切り板３５の周側に対しての気密性が保持される。従って、炎孔プレート３６の水平壁４４と分流仕切り板３５との間によって空気や燃料が通過する空隙が形成される。
【００３３】
炎孔プレート３６の裏面側では、前記したように垂直壁５０は、図３、１１の様に二組ずつがループを構成していて、島状の部位を形成し、さらに垂直壁５０の突端部分に分流仕切り板３５が当接しているので、島状の部位は他の部位から隔離されている。即ち、島状の部位と他の部位との間に通気性はない。そして島状の部位以外の部位は気化ガスと空気との混合を促進しつつ炎孔部材５１に混合ガスを送る通路５６として機能する。
島状の部位は、前記「混合ガスを送る通路５６」を経ずに燃焼部７に空気を供給する二次空気供給路４９として機能する。
【００３４】
また前記した筒体８２の開口部の端面は、分流仕切り板３５と接する。ただし、筒体８２の開口端には、切欠部６２が設けられているので、図３，図１６，図１７に示すように、混合ガスを送る通路５６と気化室６０との通気性は確保されている。
そして筒体８２の中央に設けられた一次空気導入筒８８は、分流仕切り板３５の中央の大きな開口３７内に入り込んでいる。
また分流仕切り板３５の周囲に設けられた中程度の大きさの開口３８の群は、炎孔プレート３６の外側燃焼壁４１と内側燃焼壁４３の間に設けられた長細い開口４６と連通する。さらに分流仕切り板３５の小さな開口４０は、炎孔プレート３６のループを構成する組み合わせの垂直壁５０同士の間の部位に位置する。即ち分流仕切り板３５の小さな開口４０は、二次空気供給路４９に開口する。炎孔部材５１が設けられたループを構成していない組み合わせの垂直壁同士の間には、分流仕切り板３５の開口は無い。即ち混合部６には分流仕切り板３５の開口は無い。
【００３５】
気化部８は、前記した炎孔プレート３６の中央に設けられた筒体８２を気化室６０とし、その内部にロータリーカップ６３が内蔵されたものである。即ち気化室６０は、炎孔プレート３６の中央に設けられた筒体８２を本体部とし、その頂部が蓋部８１によって閉塞されたものである。気化室６０の外周部、具体的には気化室６０の蓋部８１の外周には、図１５の様に歯車の様な凹凸形状をした表面積増大部８３が設けられている。
即ち気化室６０は、周壁を構成する筒体８２が炎孔プレート３６の中央に一体的に成形されたものであり、炎孔となる開口５４に囲まれていて燃焼部７に近接して位置する。
【００３６】
気化室６０の内面、即ち炎孔プレート３６と一体的に成形された筒体８２は、水平壁４４よりも上の部位が、図１５，図１７の様に上部に開くテーパ形状をしており、気化室６０の形状は、略円錐台形状をしている。即ち気化室６０は、水平壁４４の近傍部分が狭く、内部が広い。また水平壁４４の近傍には突起部８５が設けられている。突起部８５の断面形状は、略半円形であり、気化室６０の内壁に沿って環状に延びている。そのため気化室６０の開口部近傍はテーパ形状と突起部８５とがあいまって、狭窄部８０を構成している。
また前記した突起部８５の内部には、電気ヒータ６４が内蔵されている。即ち突起部８５は加熱機能を持つ。電気ヒータ６４に通電することにより、突起部８５の部分が発熱し、さらにこの熱が気化室６０の壁を伝導し、気化室６０の内壁が全体的に加熱される。
【００３７】
ロータリーカップ６３は、すり鉢状をしていて、上部には、振り切り板状部材６８が取り付けられている。またロータリーカップ６３の下部の中央には開口８７が設けられている。ロータリーカップ６３の下部の開口８７はテーパ状であって、奥に行くほど開口径が狭くなっている。
そしてロータリーカップ６３の下部中央の開口８７には、一次空気供給筒８８が挿入されている。一次空気供給筒８８は、先端が漸次細くなったテーパ状である。一次空気供給筒８８の最先端の開口部の位置は、気化室６０の内部であって、突起部８５のさらに奥に位置する。即ち一次空気供給筒８８の最先端の開口は、電気ヒータ６４の配置位置よりも気化室６０の奥側に位置する。
一方、一次空気供給筒８８の下端は、一次空気導入口７０に繋がっている。一次空気導入口７０は、図１，図２の様に、下端がラッパ状に開くものであり、その開口直径は、移動側板状部材２２の中心側のエリア（図４の一点鎖線Ａの範囲）の直径に略等しい。一次空気供給筒８８は、一次空気を供給する供給路の始端である。
【００３８】
一次空気供給筒８８の内部には、燃料パイプ７９が配管されており、燃料パイプ７９はロータリーカップ６３内に至っている。
さらに本実施形態で採用するロータリーカップ６３は、図１，２，１６の様に外周部に攪拌翼８６が設けられている。
炎孔プレート３６と分流仕切り板３５は、気化部８を含めて上記した状態に組み合わされる。本実施形態の燃焼装置１では、これにより、燃焼部７と、気化部８と燃焼部に空気及び燃焼ガスを導入する流路が完成する。そのため本実施形態の燃焼装置１は、燃焼部７、気化部８及び各流路を構成する部品点数が少なく、組み立てが簡単である。
本実施形態の燃焼装置１では、炎孔プレート３６と分流仕切り板３５は、外箱５３内に配置されている。なお外箱５３と炎孔プレート３６及び分流仕切り板３５の間には、図１，図３に示すように空隙５５がある。
【００３９】
次に、本実施形態の燃焼装置１の全体的な組み立て構造について説明する。
本実施形態の燃焼装置１は、最初に説明した様に、送風機２、駆動機械部３、空気量調節部５が中心軸を一致させて順次積み重ねられたものであり、駆動機械部３の底板状部材部１５に送風機２が直接的にネジ止めされている。即ち本実施形態では、送風機２の回転中心と空気量調節部材５の軸挿通孔２５（移動側板状部材２２の回転中心）とロータリーカップ６３の回転中心が同一軸線上に並べられている。
【００４０】
そして駆動機械部３の上部に空気量調節部５がネジ止めされている。また駆動機械部３に設けられたステッピングモータ２０に図２の様な歯車６７が設けられており、当該歯車６７は、空気量調節部５の移動側板状部材２２の歯車形状３０と嵌合している。そのためステッピングモータ２０を回転させることにより、移動側板状部材２２を固定側板状部材２３に対して回転させることができる。即ち移動側板状部材２２に設けられた歯車形状３０は、そのピッチ円中心が移動側板状部材２２の回転中心（軸挿通孔２５）と一致するから、移動側板状部材２２自体が一つの歯車として機能し、ステッピングモータ２０に取り付けられた歯車６７と嵌合する。そのため移動側板状部材２２の歯車形状３０は、ステッピングモータ２０に取り付けられた歯車６７と円滑に嵌合し、ステッピングモータ２０の回転によって移動側板状部材２２が回転する。
【００４１】
また空気量調節部５の上部には、混合部６及び燃焼部７が設けられているが、一次空気導入口７０の中心軸は、空気量調節部５の移動側板状部材２２のそれと一致し、且つ前記した様に一次空気導入口７０の開口直径は、移動側板状部材２２の中心側のエリア（図４の一点鎖線Ａの範囲）の直径に略等しいので、一次空気導入口７０は移動側板状部材２２の中心側のエリアを覆う様に位置することとなる。従って移動側板状部材２２の中心側のエリアから排出された空気は、主として一次空気導入口７０によって捕捉される。
そして一次空気導入口７０は、前記した一次空気供給筒８８に直接的に連通し、前述の様に直接的に気化部８の気化室６０内に開口している。従って移動側板状部材２２の中心側のエリアから排出された空気は、前記した様に主として一次空気導入口７０によって捕捉され、一次空気供給筒８８を経由して直接的に気化部８の気化室６０内に導入される。
【００４２】
また駆動機械部３のモータ１６の回転軸１８は、空気量調節部５の中央の軸挿通孔２５，２５'を連通して一次空気導入口７０（一次空気供給筒８８）を通過し、気化室６０のロータリーカップ６３に接続されている。
従ってロータリーカップ６３は、モータ１６の動力によって回転する。またモータ１６の後端側の回転軸１７は、ファン１１にも接続されているから、本実施形態では、単一のモータ１６によって気化部８のロータリーカップ６３とファン１１の双方が駆動される。
なお軸挿通孔２５は、移動側板状部材２２の回転中心でもあるから、移動側板状部材２２が回転する際に移動することはない。そのため軸挿通孔２５，２５'にモータ１６の回転軸１８があっても、移動側板状部材２２の回転の妨げとならない。また前記した様に、空気量調節部５の移動側板状部材２２と固定側板状部材２３は、ウェーブワッシャ３３によって互いに押圧されているが、回転軸１８は、ウェーブワッシャ３３の中心の開口を通っている。
【００４３】
次に本実施形態の燃焼装置１の機能について説明する。
本実施形態の燃焼装置１では、モータ１６を起動してファン１１とロータリーカップ６３を回転させる。
ファン１１の回転により、図１の矢印の様に送風機２のハウジング１０の中央部に設けられた開口１２から空気が吸い込まれ、空気は駆動機械部３に入る。そして空気は、駆動機械部３から上部の空気量調節部５を経て混合部６側に流れるが、本実施形態の燃焼装置１では、空気量調節部５によって流量調整される。
【００４４】
即ち空気量調節部５は、前記した様に固定側板状部材２３の上に移動側板状部材２２が回転可能に重ねられており、両者には略同一形状の開口２６，２６'，２７，２７'，２８が設けられている。そのため図６の様に、両者の開口２６，２６' ，２７，２７'，２８が重なる様な回転位置にある時は、両者の開口２６，２６' ，２７，２７'，２８が連通し、空気量調節部５全体として大きな開口面積を持つこととなる。従って移動側板状部材２２が固定側板状部材２３に対して図６の様な位置関係にある時は、混合部６及び気化部８に大量の空気が送風される。
なお図６の様な空気量調節部５が全開状態の時、空気量調節部５の中心側のエリアＡの開口面積は、他の部位の開口面積の約２倍となる。
【００４５】
逆に、図６に示した位置からステッピングモータ２０を回転して移動側板状部材２２を回転させると、一方の開口と他方の閉塞部が重なり、空気量調節部５全体としての開口面積が小さくなる。従って移動側板状部材２２が固定側板状部材２３に対して図７の様な位置関係にある時は、混合部６及び気化部８に送風される風量は減少する。ただし、固定側板状部材２３の両脇側に設けられた開口３１は、固定的なものであって閉塞されることはないので、相対的にエリアＡの開口比率が減少し、気化部８に送風される空気の比率が減少する。
図７の様に、閉状態におけるエリアＡの開口面積は、他の部位の開口面積の約４分の１である。
【００４６】
本実施形態で採用する空気量調節部５は、板状の部材を重ね合わせたものであるから密着性が高く、空気の漏れが少ない。特に本実施形態では、ウェーブワッシャ３３によって固定側板状部材２３を移動側板状部材２２側に押圧しているので、両者の間から空気が洩れる余地は少ない。
本実施形態の燃焼装置１では、ステッピングモータ２０は、送風機２の送風量に応じて動作される。送風機２の送風量は、送風機２のモータを流れる電流値と相関関係がある。
本実施形態の燃焼装置１では、送風機２の送風量が多い場合は、空気量調節部５を開いて中心側のエリアＡから高い比率で空気を排出する。その結果、気化部８により多くの割合で空気が導入される。一方、送風機２の送風量が少ない場合は、図７の様に空気量調節部５を閉じ、中心側以外の部位から排出される空気の比率を高める。その結果、一次空気の比率が減少し、二次空気の比率が上昇する。
【００４７】
空気量調節部５を通過した空気は、大きく４つの方向に別れて下流側に流れる。即ち中心部のエリアＡを通過した空気は、直接的にラッパ状の一次空気導入口７０に捕捉され、これと連通する一次空気供給筒８８から気化室６０の中に送風される。
【００４８】
また他の一部は、分流仕切り板３５に設けられた多数の小口径の開口４０の多くから、炎孔プレート３６のループを構成する組み合わせの垂直壁５０同士の間の部位に流れる。即ち分流仕切り板３５に設けられた多数の小口径の開口４０の多くから、混合部を経ずに燃焼部７に空気を供給する二次空気供給路４９に空気が流れる。
また分流仕切り板３５に設けられた小口径の開口４０の中の、最も外側に配された開口は、炎孔プレート３６の外側燃焼壁４１と内側燃焼壁４３の間に設けられた長細い開口４６と連通し、当該開口４０に入った空気は、外側燃焼壁４１と内側燃焼壁４３によって構成される二次空気供給用の環状溝４５を流れる。
さらに分流仕切り板３５の周囲に設けられた中程度の大きさの開口３８から入った空気は、外箱５３と炎孔プレート３６の間の二次空気供給用の空隙５５に流れる。
【００４９】
そしてファン１１の送風により、上記した様に気化部８内に一次空気が導入され、気化室６０を通風雰囲気とする。また突起部８５に内蔵された電気ヒータ６４に通電して発熱させ、突起部８５を中心として気化室６０の内壁全体を昇温させる。この状態において、燃料パイプ７９から液体燃料をロータリーカップ６３内に滴下する。
滴下された液体燃料は、ロータリーカップ６３から遠心力を受け、ロータリーカップ６３の斜面を登り、振り切り板状部材６８から飛散する。そして飛散した液体燃料は、ロータリーカップ６３の周囲に配された傾斜面６５に接触し、熱を受けて気化する。
そしてロータリーカップ６３と一体化された攪拌翼８６によって気化室６０内の空気が攪拌され、燃料ガスと空気との混合が促進される。
【００５０】
こうして発生した混合ガスは、図１７の矢印の様に、ロータリーカップ６３の外壁と気化室６０の内壁によって形成される空隙９５を流れて下部に向かう。即ち混合ガスは、気化室６０の逆円錐台形状に傾斜した傾斜面６５に沿って下方向に流れる。ここで気化室６０の形状は、逆円錐台形状であり、開口部８４に向かうにつれて断面積が漸次減少してゆき、混合ガスの通過面積も小さくなって行く。そのため混合ガスは、互いに衝突し、相互に攪拌される。そして混合ガスは、突起部８５が設けられた狭窄部８０に至る。ここで気化室６０の開口部近傍に設けられた狭窄部８０は、断面積が他の部位に比べて小さいばかりでなく、ロータリーカップ６３の下部中央の開口８７に一次空気供給筒８８が挿入されているので、混合ガスの流路は極めて狭い。そのため混合ガスの攪拌は、狭窄部８０においてさらに進行する。また前記したように、混合ガスは気化室６０の逆円錐台形状に傾斜した壁面に沿って下方向に流れるので、突起部８５と直接的に衝突する。ここで本実施形態の燃焼装置１では、突起部８５の内部に電気ヒータ６４が内蔵されており、突起部８５の部分は特に他の部位に比べて高温である。そのため混合ガスは、当該部位で強く加熱される。
【００５１】
こうして気化室６０の開口部８４から一次空気供給筒８８を介して気化室６０の内部、より具体的には電気ヒータ６４よりも奥の位置に設けられた一次空気供給筒８８から供給された空気は、気化室６０の奥部の比較的広い部位に開放されて飛散した燃料と混合され、徐々に流路が狭められて燃料ガスと衝突・攪拌される。そして混合ガスは、最も流路が狭い部位を通過する際により高温の部位と接し、高温状態となって気化室６０の下部に設けられた切欠部６２から排出される。そして気化室６０を出た混合ガスは、一旦炎孔プレート３６の裏面側の通路に流れ込む。
【００５２】
そして混合ガスは、図３，１１，１３の様にループを構成していない組み合わせの垂直壁５０同士の間に流れ込み、上昇して炎孔５４から噴射される。
【００５３】
一方、他の部位から下流側に流れた空気は、燃料と混合されることなく、直接燃焼部７側に流れ込み、二次空気として燃焼に寄与する。即ち二次空気は、分流仕切り板３５に設けられた多数の小口径の開口４０の多くから、炎孔プレート３６のループを構成する組み合わせの垂直壁５０同士の間の部位（二次空気供給路４９）に流れ、炎孔５４の側面部に供給される。さらに炎孔プレート３６の外側燃焼壁４１と内側燃焼壁４３の間に設けられた長細い開口４６から、炎孔５４の上部側（下流側）に二次空気が供給される。さらに分流仕切り板３５の周囲に設けられた中程度の大きさの開口３８から入った空気は、外箱５３と炎孔プレート３６の間の空隙５５に流れて、炎孔５４から遠い位置に供給される。
【００５４】
そして図示しない点火装置によって燃料ガスに点火されると、内側燃焼壁４３の内側を火炎の基端部として燃焼が行われる。
【００５５】
また本実施形態の燃焼装置では、燃焼出力の変化に応じてステッピングモータ２０が回動され、空気量調節部５の開口量を変化させる。即ち燃焼量が増加し、送風機２が発生する送風量が多いときは、ステッピングモータ２０を回動して固定側板状部材２３と移動側板状部材２２の開口２６，２６' ，２７，２７'，２８が連通する方向に移動側板状部材２２を回す。その結果、燃焼に寄与する空気量が増大するだけでなく、気化部８に供給される一次空気の比率が上昇する。
そして炎孔５４から噴射される燃料ガスの濃度が低下する。
【００５６】
逆に燃焼量が減少し、送風機２が発生する送風量が減少した場合は、移動側板状部材２２の開口２６，２７，２８を固定側板状部材２３の閉塞部と合致させる方向に移動側板状部材２２を回す。その結果、燃焼に寄与する空気量が減少するだけでなく、気化部８に供給される一次空気の比率が減少する。即ち、噴射する燃料ガスの濃度が濃くなり、その周囲に供給される空気が相対的に多くなる。
このように、高出力燃焼を行なっている場合に、気化部８に供給される一次空気の比率を上げ、逆に低出力燃焼を行なっている場合に一次空気の比率を下げることによって、ＮＯX （窒素酸化物）の排出量を減少させることが可能となる。
【００５７】
即ち本実施形態の燃焼装置１では、高出力燃焼を行なっている場合に、気化部８に供給される一次空気の比率が上昇するので、予混合されて炎孔５４から噴射される燃料の濃度が下がる。その結果、混合気が希薄となり火炎の温度が低下してＮＯX の排出量が減少する。なお高出力燃焼を行なっている場合は、火勢が強いので、炎孔５４から噴射される燃料の濃度が低くても、火飛び等の悪影響は少ない。高出力燃焼を行なっている際の一次空気の比率は、二次空気よりも高いことが望ましく、理想的には、本実施形態の燃焼装置１で採用する空気量調節部５を全開にした時のように、
（一次空気：二次空気＝２：１）
となることが推奨される。
一方、低出力燃焼を行なう場合は、火勢が弱いので燃料濃度を上昇させざるを得ないが、本実施形態の燃焼装置１では、燃焼部７に供給される二次空気の比率が増大するので、火炎の周囲に多量に二次空気が供給され、二次空気によって火炎が冷却される。そのため、結果的にＮＯX の排出量が抑制される。
低出力燃焼を行なっている際の一次空気の比率は、二次空気よりも低いことが望ましく、理想的には、本実施形態の燃焼装置１で採用する空気量調節部５を閉じた時のように、（一次空気：二次空気＝１：４）
となることが推奨される。
【００５８】
本発明者らの実験によると、高出力燃焼時に供給空気の比率を
（一次空気：二次空気＝２：１）
とし、低出力燃焼時に供給空気の比率を
（一次空気：二次空気＝１：４）
とすることにより、全出力領域におけるＮＯX 排出量の平均を１００ｐｐｍ未満とすることができた。
【００５９】
本実施形態の燃焼装置１では、気化部８を構成する気化室６０の内側形状が円錐形状であり、さらに開口近傍に電気ヒータ６４が内蔵された突起部８５が設けられ、且つ一次空気供給筒８８がテーパ状であって電気ヒータ６４よりもさらに奥部に空気を供給するので、気化性能が高く、また混合ガスは均質である。そのため、炎孔５４から噴射される混合ガスは、液滴を含まず、完全にガス化している。したがって本実施形態の燃焼装置１は、火炎が安定している。
【００６０】
また本実施形態の燃焼装置１では、気化部８は、燃焼部７の近傍に配置されているので、燃焼が開始されると、気化室６０が火炎によって加熱される。特に本実施形態の燃焼装置１では、気化室６０の外周部に凹凸形状の表面積増大部８３が設けられているので、気化室６０は、より強く加熱される。そのため気化室６０内の温度が上昇し、燃料の気化がさらに促進される。
【００６１】
加えて本実施形態の燃焼装置１では、気化室６０の周壁を構成する筒体８２が炎孔プレート３６と一体成形されているので、炎孔プレート３６の熱が直接的に気化室６０に伝熱される。即ち燃焼が開始されると、燃焼部７に最も近い位置にある炎孔プレート３６が昇温する。そして本実施形態の燃焼装置１では、気化室６０の周壁（筒体８２）が炎孔プレート３６と一体であるから、炎孔プレート３６の昇温に伴い、気化室６０内部の温度が上昇する。そのため気化室６０内の温度は安定して高い。
【００６２】
さらに加えて本実施形態の燃焼装置１では、一次空気導入筒８８についても、炎孔プレート３６と一体的であるから、燃焼によって炎孔プレート３６の温度が上昇すると、気化室６０に導入される空気の温度も高まる。そのため本実施形態の燃焼装置では、燃料の気化状態が安定している。
【００６３】
また本実施形態の燃焼装置１では、炎孔プレート３６と一体となった筒体８２を持ち、この筒体８２の下端部が分流仕切り板３５と接している。そのため炎孔プレート３６の熱が分流仕切り板３５に伝熱される。また本実施形態の構成では、筒体８２の開口近傍に電気ヒータ６４が内蔵されているので、電気ヒータ６４が発生すする熱についても、分流仕切り板３５に伝熱される。特に本実施形態の燃焼装置１では、分流仕切り板３５に熱伝導率に優れた銅板が使用されているので、筒体８２側から熱を受けやすく、分流仕切り板３５の温度が上昇する。
【００６４】
ここで分流仕切り板３５は、気化ガスを燃焼部に送るための通路５６の一部でもある。本実施形態の燃焼装置１では、前記した様に筒体８２の下端部が分流仕切り板３５と接しているので、炎孔プレート３６の熱や電気ヒータ６４の熱が分流仕切り板３５に伝熱され、燃焼ガスの通路が保温される。そのため燃料ガスの再液化が阻止される。分流仕切り板３５と気化室６０の周壁を構成する筒体８２とは、図１６に示すように分流仕切り板３５の下側からビス８９で筒体８２に密着固定するように複数箇所（例えば６箇所）留められている。
従って本実施形態の燃焼装置１は、一次空気導入筒８８の温度と気化室６０内の温度が安定して高いので燃料の気化状態が安定し、さらに燃焼部７に燃料ガスを導く流路についても炎孔プレート３６からの熱伝導によって保温されている。そのため燃料の再液化が起きにくく、安定して燃焼する。
【００６５】
本実施形態の燃焼装置１では、炎孔プレート３６に気化室６０の外周部（筒体８２）だけを一体成形し、蓋部８１は、別途成形したものを後付けしたが、蓋部８１も含めて気化室６０の全体を炎孔プレート３６に一体成形してもよい。
また本実施形態では、気化室６０と混合部６とを連通させるために、筒体８２の開口端に切欠部６２を設けたが、切欠部６２に代わって孔を設けても良い。筒体８２に混合部６と連通する孔を設ける場合は、筒体８２の開口端の全部を分流仕切り板３５と接触させることも可能である。また筒体８２に開口を設けなくても良く、筒体８２の下部全体を分流仕切り板３５と接触させてもよい。
【００６６】
本実施形態の燃焼装置１を製作する場合には、気化部８及び燃料ガスの経路が断熱塗料によって保温することが望ましい。即ち気化部８の頂部８ａ及び外周面８ｂに断熱塗料を塗布することが推奨される。ここで断熱塗料は、例えば無機質系中空ビーズ（セラミック系無機バルーン）を素材としたものである。より具体的には、組成がアルミナシリケートであり、中空球体又は真球微粒子形状をしており、粒子径は、概ね５〜３００μｍである。また熱分解温度は、３３０℃（摂氏温度）程度であり、アクリル・スチレン系のバインダーが採用されている。
【００６７】
気化部８の頂部８ａ及び外周面８ｂに断熱塗料を塗布することにより、気化部６０からの熱放散が減少する。また特に気化部８の頂部８ａは、燃焼時においても火炎によって加熱されにくい部位であり、気化部８の頂部８ａ及び外周面８ｂに断熱塗料が塗布することにより、当該部位からの熱放散が抑制され、燃料の気化が促進される。
【００６８】
また分流仕切り板３５の外側、言い換えると分流仕切り板３５の下流側或いは送風が当接する側の面や、炎孔プレート３６のループを構成する垂直壁５０の内外面、炎孔プレート３６の外側燃焼壁４１の外側及び内側燃焼壁４３の外側、分流仕切り板３５の内側や炎孔プレート３６の水平壁４４の内外面、炎孔プレート３６の外側燃焼壁４１の内側、内側燃焼壁４３の内側等についても、断熱塗料を塗布しておくことが望ましい。
【００６９】
本実施形態の燃焼装置１は、炎孔プレート３６の裏面に分流仕切り板３５を重ねることによって両者の間に空隙を形成し、空気や燃料の流路を確保したので、流路を構成する部品点数が少なく、組み立てが簡単である。ここで本実施形態では、外側燃焼壁４１に段部６０を設け、この段部６０に分流仕切り板３５を置いた構成としたが、段部６０を省略して外側燃焼壁４１の端面に分流仕切り板３５を重ねてもよい。
逆に段部を複数設けることにより、より多くの空気流路等を一体化することも可能である。
図１８は、本発明の他の実施形態の燃焼装置の断面図であり、炎孔プレート７１に二つの段部７２，７３を設け、上側の段部７２に分流仕切り板３５を重ね、下側の段部７３には、仕切り板として空気量調節部５を重ねた例を示すものである。
【００７０】
図１８に示す燃焼装置７２は、炎孔プレート７１の水平壁と分流仕切り板３５との間の空隙７３で先の実施形態と同様の空気流路と燃料ガス流路が形成されている。また分流仕切り板３５と空気量調節部（正確には固定側板状部材２３）５との間の空隙７５で空気流路が形成される。
本実施形態の燃焼装置７２の様に、炎孔プレート７１に複数段に仕切り板３５，２３を重ねる場合は、燃焼部７、即ち炎孔となる開口５４に近い側の仕切り板３５に熱伝導が良好な銅を使用し、遠い側に配される仕切り板２３には熱伝導が悪いものを採用するべきである。より具体的には、燃焼部７に近い分流仕切り板３５には、熱伝導率が１００Ｗ／ｍ℃（ワット／メートル・摂氏温度）以上の熱伝導率の良好な素材を選択すべきであり、仕切り板２３（固定側板状部材）には、熱伝導率が４０Ｗ／ｍ℃（ワット／メートル・摂氏温度）以下の熱伝導率が悪い素材を選定するべきである。
分流仕切り板３５の素材として推奨されるものに銅やアルミニウムが上げられ、仕切り板２３（固定側板状部材）の素材として推奨されるものにステンレススチールが上げられる。
【００７１】
このように分流仕切り板３５の素材として熱伝導率の良好なものを使用する理由は、前記した様に、燃焼部７からの熱移動を促進して分流仕切り板３５を昇温させ、燃料ガス流路を保温させるためである。
一方、仕切り板２３（固定側板状部材）の素材として熱伝導率が悪いものを使用する理由は、仕切り板２３が燃焼部７から遠いので、燃焼部７からの熱移動が期待できず、むしろ送風機の送風にさらされて温度低下を来す場合の方が多いためである。
【００７２】
なお、図１８に示す燃焼装置７２は、炎孔プレート７１に気化室６０が一体的に成形されている点で先の実施形態と同一であるが、モータ１６は、外箱７６に外付けされており、モータ１６と空気量調節部５の間に送風機２が配されている点で先の例とは異なる。
本実施形態の燃焼装置における空気と燃料ガスとの流れは、図の通りである。即ち空気は、外箱７６の上部から入って炎孔プレート７１の側面を図の下向きに流れ、送風機２の下端から内部に入る。そして送風機２の仕切り板７７と仕切り板２３（固定側板状部材）の間の空隙７８を通過して分流仕切り板３５と空気量調節部（正確には固定側板状部材２３）５との間の空隙７５に入る。さらに空気は、炎孔プレート７１の水平壁と分流仕切り板３５との間の空隙７３と気化部８に入り、燃焼部７に導かれる。
【００７３】
【発明の効果】
以上説明したように本発明の燃焼装置は、燃焼ガスが再液化することが少なく、安定して燃焼する効果があり、且つ部品点数が少なく、製造が容易であるという効果がある。
特に請求項１に記載の発明は、空気供給筒が炎孔プレートに対して一体的に成形されているから、燃焼時には、炎孔プレートの熱が空気供給筒に伝熱され液体燃料の気化が促進される。そのため燃焼ガスの持つ熱エネルギーが高く、再液化しにくい。また本発明の燃焼装置では、空気供給筒が炎孔プレートと一体化されているので、部品点数が少なく、組み立ても容易である。
【００７４】
請求項２に記載の燃焼装置は、気化室の一部又は全部が炎孔プレートに対して一体的に成形されているから、燃焼時には、炎孔プレートの熱が気化室に伝熱され、液体燃料の気化が促進される。そのため燃焼ガスの持つ熱エネルギーが高く、再液化しにくい。また本発明の燃焼装置では、気化室の一部が炎孔プレートと一体化されているので、部品点数が少なく、組み立ても容易である。
【００７５】
さらに請求項３に記載の燃焼装置では、気化室の一部又は全部が炎孔プレートに対して一体的に成形されているから、燃焼時には、炎孔プレートの熱が気化室に伝熱され、液体燃料の気化が促進される効果がある。加えて請求項３に記載の燃焼装置では、燃料ガス流路の一部を構成する仕切り板が気化室の開口端の一部と接しているので、仕切り板に気化室側の熱によって保温され、燃料ガス流路が保温される効果がある。
【００７６】
また請求項４に記載の燃焼装置は、仕切り板によって空隙を形成し、この空隙を空気又は燃料の通過部として機能させので、構造が簡単であり、組み立てが容易であると言う効果がある。さらに、複数の仕切り板によって二以上の空隙が形成され、これらの空隙を空気又は燃料の通過部として機能させるので、流路の構造が簡単であり、組み立てがより一層容易である。
【００７７】
さらに請求項５に記載の燃焼装置は、炎孔に近い部位に設けられた仕切り板に、炎孔から遠い位置に設けられた仕切り板に比べて熱伝導率が高いものを選定し、炎孔に近い部位の流路については、燃焼部側から熱を受けて保温し、炎孔に近い部位の流路については、送風による冷却を防止して流路を保温する効果がある。
【図面の簡単な説明】
【図１】  本発明の実施形態の燃焼装置の断面図である。
【図２】  本発明の実施形態の燃焼装置の分解斜視図である。
【図３】  図１の燃焼装置の燃焼部近傍の斜視図である。
【図４】  図１の燃焼装置で採用する空気量調節部の移動側板状部材の正面図である。
【図５】  図１の燃焼装置で採用する空気量調節部の固定側板状部材の正面図である。
【図６】  図１の燃焼装置で採用する空気量調節部の正面図であり、開口を開いた状態を示す。
【図７】  図１の燃焼装置で採用する空気量調節部の正面図であり、開口を閉じた状態を示す。
【図８】  図１の燃焼装置で採用する分流仕切り板の正面図である。
【図９】  （ａ）は、図１の燃焼装置で採用する炎孔プレートと、炎孔部材と分流仕切り板を組み合わせた状態の正面図であり、（ｂ）は、その部分拡大図である。
【図１０】  図９（ａ）のＡ−Ａ断面図である。
【図１１】  図１の燃焼装置で採用する炎孔プレートの裏面中央部分の拡大図である。
【図１２】  図１の燃焼装置の炎孔近傍の斜視図である。
【図１３】  図３のＡ−Ａ断面図である。
【図１４】  図３のＢ−Ｂ断面図である。
【図１５】  本発明の実施形態の燃焼装置の気化部周辺の断面斜視図である。
【図１６】  本発明の実施形態の燃焼装置の気化部の気化室内部を示す断面図である。
【図１７】  図１６の縦断面図である。
【図１８】  本発明の他の実施形態の燃焼装置の断面図である。
【図１９】  従来技術の燃焼装置で採用する気化部の例を示す断面図である。
【符号の説明】
１，７２  燃焼装置
５  空気量調節部
６  混合部
７  燃焼部
８  気化部
２３  固定側板状部材（仕切り板）
３５  分流仕切り板
３６，７１  炎孔プレート
４４  水平壁
４９  二次空気供給路
５６  混合ガスを送る通路
６０  気化室
６２  切欠部
６６  リブ
７３，７５  空隙
８２  筒体
８８  一次空気導入筒
【図１】
0004292443.tif 000002
【図２】
0004292443.tif 000003
【図３】
0004292443.tif 000004
【図４】
0004292443.tif 000005
【図５】
0004292443.tif 000006
【図６】
0004292443.tif 000007
【図７】
0004292443.tif 000008
【図８】
0004292443.tif 000009
【図９】
0004292443.tif 000010
【図１０】
0004292443.tif 000011
【図１１】
0004292443.tif 000012
【図１２】
0004292443.tif 000013
【図１３】
0004292443.tif 000014
【図１４】
0004292443.tif 000015
【図１５】
0004292443.tif 000016
【図１６】
0004292443.tif 000017
【図１７】
0004292443.tif 000018
【図１８】
0004292443.tif 000019
【図１９】
0004292443.tif 000020